(57)【要約】      （修正有）【課題】日常的に使用する発音源、例えば水洗トイレの擬音発生装置、携帯ラジオ、携帯テレビ、或いは携帯電話装置と組合せた携帯用防犯警報装置を提供する。【解決手段】図中１は、電源バッテリーを示す。２は、時限スイッチを示し、通常は開状態であるが、一度閉状態にすれば、前もって設定した一定の時間だけ経過した後開状態に復帰するスイッチである。３は日常的に使用する発音源を示す。４は常時開状態であるが一度賦活すれば再度賦活するまで閉状態を保つ保持スイッチである。５は警報音源を示す。６はスピーカー、またはイヤホンを示す。７はスピーカーまたはまたはその他の発音体を示す。【選択図】図１
0003123618.tif 000002
【実用新案登録請求の範囲】
【請求項１】
電源バッテリーと；  常時開状態であり，一度賦活されると所定の時間閉状態を維持し、しかる後に自動的に開状態に復帰する時限スイッチと；  日常的に使用する発音源と；常時開状態であり、一度賦活されると次に賦活されるまで閉状態を保ち、次に賦活されると開状態に復帰する保持スイッチと；  警報音源と；  スピーカまたはイヤフォンと；  スピーカまたは発音体からなり；前記時限スイッチ、日常的に使用する発音源、およびスピーカ（またはイヤフォン）からなる日常的に使用する発音装置と、前記保持スイッチ、警報音源、スピーカ（または発音体）からなる警報装置が、電源バッテリーと電気的に並列に接続されていることを特徴とする日常的に使用する発音源付き携帯用防犯警報装置。
【請求項２】
前記時限スイッチと保持スイッチの一方または両方が、通常の手動により開閉を行うスイッチで置き換えられたことを特徴とする請求項１に記載の日常的に使用する発音源付き携帯用防犯警報装置。
【請求項３】
前記日常的に使用する発音源、およびスピーカ（またはイヤフォン）が、携帯電話装置、携帯ラジオ装置、携帯テレビ装置のうちの一つからなり、前記時限スイッチが通常の手動により開閉を行うスイッチで置き換えられたことを特徴とする請求項１に記載の日常的に使用する発音源付き携帯用防犯警報装置。
【考案の詳細な説明】
【技術分野】
【０００１】本考案は、日常的に使用する発音源付き携帯用防犯警報装置に関し、特に水洗トイレの擬音発生装置、携帯ラジオ、携帯テレビ、或いは携帯電話装置と組み合わせた携帯用防犯警報装置に関する。
【背景技術】
【０００２】昼夜を問わず、人気のない場所とか、特に人気のない夜道を一人歩きすることは暴漢に襲われる危険を伴う可能性が高い。男女を問わず、このようなリスクは存在するといえる。このような場合に、携帯用防犯警報装置は犯罪防止の為に必要であり、且つ非常に有用なものである。ところが我々はこのような装置の携帯が必要な危険な場所を、及び／又は、危険な時間帯に日常的に往来するわけではない。このため、このような装置の携帯を忘れてしまいがちになり、いざという時には携帯していなかったということも有りうる。また、注意して日常的にこのような装置を携帯していれば、今度は使用しない時間のほうが圧倒的に多くなり、何のために携帯しているのか、というジレンマに落ち入ることになる。
【考案の開示】
【考案が解決しようとする課題】
【０００３】従来の携帯用防犯警報装置は、簡単なものでは単に甲高い警報音を発するものから、複雑なものでは、警報音を発するばかりではなく、警備会社や類似施設などに通報する手段を備えたものまで存在するが、やはり上記したようなジレンマを解決するに至った装置は未だ見られないのが現状である。本考案の主たる課題は、このようなジレンマを解決できる装置を提供することである。
【課題を解決するための手段】
【０００４】このジレンマを解決するには、この装置を日常的に携帯する必要があるように改良すればよいのであるが、本考案は、このために、この防犯警報装置を、日常的に使用する何らかの携帯用装置と組み合わせることによってこの問題を解決する。特に、一例として水洗トイレの擬音発生装置と組み合わせることによってこのジレンマを解決することができる。
【考案の効果】
【０００５】近年、省エネルギーと資源の有効利用が叫ばれて、水洗トイレの分野にもこのことは無縁ではなくなり、一回の使用に水を流すのは一回と電子的にコントロールされた水洗便所が採用され始めてきている。しかしながら、使用者の要求としては、この水を流す時の音を、生理的な現象の結果発生する音を消すために使いたいということがあり、一回の使用に一回だけ水を流すことが許されるのでは、このような水洗便所はあまり歓迎されないことになる。このため、このようなエコロジー・ソフトな水洗便所は通常、水洗の擬音を発する装置が併設されているのが普通である。しかしながら、未だ大部分の水洗便所は、このような水洗の擬音を発する装置が併設されておらず、一回の使用に複数回の水洗が行われるのが普通で、省エネルギーと資源の有効利用に貢献しているとはいえないのが現状である。もし、人々が自ら進んで省エネルギーと資源の有効利用に貢献しようとすれば、このような擬音発生装置が個々人に携帯できるようにする必要がある。トイレの使用は日常的なものであり、殆どの人にとって毎日少なくとも一度は行われる行為であるために、このような擬音発生装置は常に携帯する必要があるといえる。【０００６】本考案のように、防犯警報装置を、日常的に使用する何らかの携帯用装置と組み合わせることにより、携帯用防犯警報装置の陥りがちな上記した様なジレンマから脱することができ、例えば水洗トイレの擬音発生装置と組み合わせることによって、省エネルギーと資源の有効利用にも貢献することができ、二重のメリットが得られることになる。【０００７】水洗トイレの擬音発生装置以外にも日常的に使用する携帯用の装置は存在し、その例としては、例えば携帯電話装置がある。携帯電話装置と組み合わせる場合は、携帯電話装置の発音体（例えば小型スピーカ、イヤフォン等）を警報音の発生器として兼用しても良いし、警報音用の発音体は独立に設けても良い。このように、携帯用防犯警報装置と日常的に使用する音源とを組み合わせることの更なるメリットは、警報装置が電源エネルギーを失い、使用必要時に思わぬ不動作に陥ることの可能性を大きく減少することができることである。携帯用防犯警報装置単体の場合は、不使用のまま、長時間持ち歩いているうちに少しずつ漏電し、電池が弱まったり、切れたりすることもありえないことではなく、いざ使用という段階で、警報音が弱かったり、全く音が出ないということにならないとも限らない。日常的に使用する発音源と携帯用防犯警報装置とを組み合わせることによって、日常的に使用する発音源からの発生音を聞けば、内臓電源の蓄積エネルギー量は、その発生音の強弱で知れるため、あるいは、この日常的に使用する発音源にバッテリーチェック装置が付いていれば、いざというときにエネルギー不足で使用不可などという事態に見舞われないで済むことになる。このように、日常的に使用する発音源と携帯用防犯警報装置とを組み合わせることによって、本考案の目的とする課題を解決することができる。
【考案を実施するための最良の形態】
【０００８】以下に本考案を添付の図１を参照しながら説明する。図中１は電源バッテリーを示す。２は時限スイッチを示し、通常は開状態であるが、一度閉状態にすれば、前もって設定した一定の時間だけ経過した後開状態に復帰するスイッチである。３は日常的に使用する発音源を示す。４は常時開状態であるが一度賦活すれば再度賦活するまで閉状態を保つ保持スイッチである。５は警報音源を示す。６はスピーカ、またはイヤフォンを示す。７はスピーカまたはその他の発音体を示す。【０００９】本考案の一実施例として、日常的に使用する発音源３が水洗トイレの擬音発生装置である場合を説明する。図１において、何もしない状態では時限スイッチ２と保持スイッチ４は開状態であるから、日常的に使用する発音源３も、警報音源５も電源バッテリー１からは電気エネルギーが供給されないので動作をしない。さて、本発明を、水洗トイレの擬音発生装置として使用するときは、時限スイッチ２を賦活する。この時限スイッチ２は前もってセットした時間だけオンになり、その間、電源バッテリー１から水洗トイレの擬音発生装置３に電力を供給し、この発生装置３が前もって記録していた水洗トイレの擬音をスピーカ６から発生する。この擬音を日常的に発生させることにより、上記した如く電源バッテリーのエネルギー含有量が知れることにもなる。時限スイッチ２は、押しボタンを有する従来のタイプのもので、閉状態は、この押しボタンを押すことで開始し、その閉状態の継続時間はある程度調節可能のものであればどんなものでもよい。この閉状態継続中に水洗の水を流した音を少なくとも一回発生させるのである。時限スイッチ２による所定時間が経過すれば、このスイッチ２は自然に元の開状態に復帰し、最初の不動作の状態に戻る。水洗トイレの擬音発生装置３は従来のものでよく、例えばアナログ、またはデジタル式の擬音記録装置と信号処理回路、そしてアンプとを備え、時限スイッチ２のオンと共に動作するようにすれば良い。【００１０】次に、本考案を携帯用防犯警報器として使用するときの説明をする。保持スイッチ４は、押しボタンを有する従来型のものでよい。保持スイッチ４の押しボタンを押すと、この保持スイッチ４は、再度押しボタンを押すまでは閉状態を保持し、その間中、電源バッテリー１から警報音源５に電気エネルギーを供給し続ける。その結果、警報音源５からの電気エネルギーはスピーカ、或いは、発音体７を励起し警報音を発することになる。目的を達した後は、保持スイッチ４のボタンを押せば、警報音源５への電気エネルギーの供給は遮断され、警報音は停止することになる。警報音源５に関しては、従来のもので良く、本発明の主題ではないので詳述しない。【００１１】日常的に使用する発音源３を広い意味に捉えれば、これは携帯電話装置、携帯ラジオ、携帯テレビなども含まれることは容易に想像される。これらを組み合わせた場合にも、携帯用防犯警報装置の電池切れを事前に知ることができることは言うまでもない。【００１２】また、本考案を、上記より明らかなように、時限スイッチ２のみを操作して、携帯用水洗トイレの擬音発生装置として専ら使用することもできることは言うまでもない。
【図面の簡単な説明】
【００１３】
【図１】図１は、本発明の一般概念を示す全体図である。
【符号の説明】
【００１４】１  電源（バッテリー）；  ２  時限スイッチ；  ３  日常的に使用する発音源；
４  保持スイッチ；    ５  警報音源；    ６  スピーカ、またはイヤフォン
７  スピーカまたは発音体
【図１】
0003123618.tif 000003
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
電源バッテリーと；常時開状態であり，一度賦活されると所定の時間閉状態を維持し、しかる後に自動的に開状態に復帰する時限スイッチと；日常的に使用する発音源と；常時開状態であり、一度賦活されると次に賦活されるまで閉状態を保ち、次に賦活されると開状態に復帰する保持スイッチと；警報音源と；スピーカまたはイヤフォンと；スピーカまたは発音体からなり；前記時限スイッチ、日常的に使用する発音源、およびスピーカまたはイヤフォンからなる日常的に使用する発音装置と、前記保持スイッチ、警報音源、スピーカまたは発音体からなる警報装置が、電源バッテリーと電気的に並列に接続されていることを特徴とする日常的に使用する発音源付き携帯用防犯警報装置。
【請求項２】
前記時限スイッチと保持スイッチの一方または両方が、通常の手動により開閉を行うスイッチで置き換えられたことを特徴とする請求項１に記載の日常的に使用する発音源付き携帯用防犯警報装置。
【請求項３】
前記日常的に使用する発音源、およびスピーカまたはイヤフォンが、携帯電話装置、携帯ラジオ装置、携帯テレビ装置のうちの一つからなり、前記時限スイッチが通常の手動により開閉を行うスイッチで置き換えられたことを特徴とする請求項１に記載の日常的に使用する発音源付き携帯用防犯警報装置。